(57)【特許請求の範囲】
【請求項１】
雨樋部の長手方向に沿った中空体状の照明組込部が、雨樋部を構成する前板の上端にて、当該前板よりも前方に突出し、且つ雨樋部を構成する後板の上端よりも高い位置に設けられており、
複数の照明器具が、照明組込部内にて、照明組込部を構成する底板から下方に照明光を出射するように、照明組込部の長手方向に連続して配設されている
ことを特徴とする照明組込み軒樋。
【請求項２】
長尺のケース体に複数の照明器具を長手方向に連続して内蔵した照明ユニットが、照明組込部内に設けられていることを特徴とする請求項１記載の照明組込み軒樋。
【発明の詳細な説明】
【技術分野】
【０００１】
本願発明は、ＬＥＤ等の照明器具を組み込んだ軒樋に関するものである。
【背景技術】
【０００２】
従来、たとえば図９および図１０に例示したように、住宅等の軒先には軒樋Ｂ（雨樋とも呼ぶ）がしばしば設けられている。
【０００３】
一方で、昨今の防犯対策に対する関心の高まりから、夜間照明の重要性が見直されてきている。
【０００４】
また、夜間照明は、足元を照らす役割や、イルミネーションとしての役割を担うようにすることも考慮できる。
【０００５】
たとえば、軒先にて軒樋とともにＬＥＤ等の照明器具を取り付けて、軒下を照明することが既に提案されている（特許文献１、２、３参照）。
（特許文献１、２、３参照）。
【特許文献１】特開２００４−１４３８２２号公報
【特許文献２】特開平８−３２６２４２号公報
【特許文献３】特開昭６２−１０７０２８号公報
【発明の開示】
【発明が解決しようとする課題】
【０００６】
本願発明は、以上のとおりの事情に鑑み、上記各従来例とは別に新たに、ＬＥＤ等の照明器具を組み込んで、軒先からの防犯対策、足元照明、イルミネーション等の効果的な夜間照明を実現することのできる照明組込み軒樋を提供することを課題としている。
【課題を解決するための手段】
【０００７】
本願発明の照明組込み軒樋は、上記の課題を解決するものとして、第１には、雨樋部の長手方向に沿った中空体状の照明組込部が、雨樋部を構成する前板の上端にて、当該前板よりも前方に突出し、且つ雨樋部を構成する後板の上端よりも高い位置に設けられており、複数の照明器具が、照明組込部内にて、照明組込部を構成する底板から下方に照明光を出射するように、照明組込部の長手方向に連続して配設されていることを特徴とする。
【０００８】
第２には、長尺のケース体に複数の照明器具を長手方向に連続して内蔵した照明ユニットが、照明組込部内に設けられていることを特徴とする。
【発明の効果】
【０００９】
上記第１および第２の発明によれば、住宅等の軒先に設けられている雨樋を、ＬＥＤ等の照明器具を組み込んで、軒先からの防犯対策、足元照明、イルミネーション等の効果的な夜間照明を実現することのできる照明組込み軒樋とすることができる。
【００１０】
また、照明器具は、照明組込み軒樋として軒先に取り付けられるので、建物全体の外観性を損ねることもない。
【００１１】
またさらには、照明器具を取り付ける照明組込部が中空体状のものとなっているので、照明器具を外部ストレスから保護でき、防水効果および防汚効果も期待できる。
【発明を実施するための最良の形態】
【００１２】
図１および図２は、本願発明の一実施形態を示したものである。
【００１３】
これら図１および図２に例示したように、本願発明の照明組込み軒樋Ａは、雨水１０を流す雨樋部１、照明機能を付加するための照明組込部２、および照明光３０を出射する照明器具３を備えている。
【００１４】
雨樋部１は、雨水１０を受けて縦樋（図示なし）等に流す形態を有し、少なくとも前板１１、後板１２および底板１３により構成されている。後板１２が軒先側に位置して、取付金具等を介して軒先に取り付けられる。
【００１５】
照明組込部２は、照明器具３を組込可能な形態を有する、雨樋部１の長手方向に沿った中空体状のものであり、雨樋部１を構成する前板１１の上端にて、前板１１よりも前方に突出し、且つ雨樋部１を構成する後板１２の上端よりも高い位置に設けられている。また、組み込まれる照明器具３からの照明光３０を下方に取り出すための出射口２１１が、照明組込部２としての中空体を構成する底板２１に設けられてもいる。
【００１６】
照明器具３は、照明組込部２としての中空体の内部にてその長手方向に沿って連続して配設されて、照明組込部２の底板２１から下方に向けて照明光３０を出射する。
【００１７】
この照明器具３としては、高輝度且つ高指向性のＬＥＤを用いることができる。この場合、たとえば図３に例示したように、照明組込部２の中空形態に合わせた長尺角筒形状のケース体３２に、複数のＬＥＤ３１をその長手方向に連続して内蔵一体化させた照明ユニット３３として、照明組込部２内に挿入して組み込むようにしてもよい。照明組込部２への固定は、水平な底板２１へのネジ止め等により行い、取付け取外し自在とする。
【００１８】
照明ユニット３３については、ＬＥＤ３１とともに、その駆動に必要な電力源や回路基板等（図示なし）を内蔵させる。また、長手方向に連続配設した各ＬＥＤ３１からの光が下方に出射されるように、ケース体３２の底板３２１を図示したように透明板３２１’で構成したり、底板３２１に出射口（図示なし）を設けたりしてもよい。
【００１９】
また、たとえば図４に例示したように、照明ユニット３３の組込み後は、照明組込部２の開口部末端に蓋４を取り付ける。
【００２０】
以上のとおりの照明組込み軒樋Ａによれば、雨樋部１の前板１１の上端にて前方に突出した照明組込部２に組み込まれた照明器具３から、照明光３０が下方に向けて出射されることとなり、この照明光３０が、図５および図６に例示したようなダウンライトとなって、軒先のイルミネーションや防犯対策になり、図７に例示したような軒先から玄関先に向けて光る足元ライトにもなり、優れた夜間照明を提供する。また、雨樋と夜間照明とを兼ねた照明組込み軒樋Ａなので、建物全体の外観性を損ねることもない。
【００２１】
ここで、照明組込部２を中空体状としたのは、図８に例示したように、その中に組み込まれる照明器具３（または図２の照明ユニット３３。以下同じ）を外部ストレスから保護するためである。これにより、照明組込み軒樋Ａの取り扱いにおいて、照明器具３のより高い安全性を確保できる。照明器具３を雨水や汚れから効果的に守ることもできる。なお、メンテナンス時には、図４に例示したように、照明組込部２の開口部末端の蓋４を取り外して、照明器具３を横から抜き取ればよく、作業性も良い。
【００２２】
また、この照明組込部２を雨樋部１の前板１１よりも前方に突出させたのは、照明光３０を雨樋部１に邪魔されることなく、より下方に到達させるためである。
【００２３】
この照明光３０によるより効果的な夜間照明を実現すべく、たとえば図１に例示したように、雨樋部１の前板１１を、照明光３０を拡散させるＲ形状を有するものとしてもよい。このＲ形状を持つ前板１１によって、ダウンライトとしての照明光３０が拡散されて、降雨もかかり難くなり、より明るい照明を提供することができる。
【００２４】
また、照明組込部２を雨樋部１の後板１２の上端よりも高い位置に設けたのは、後板１２の上端位置は雨樋部１にて雨水１０が満水になるラインと同じであり、この満水ラインよりも高く位置させることで、降雨時に雨樋部１を流れる雨水１０が照明組込部２や照明器具３にかかることを防ぐためである。
【００２５】
またさらには、図９および図１０に例示したように、通常、軒先に雨樋を設ける場合においては雨水飛出曲線や雨水飛散曲線を考慮するが、本願発明においても、照明組込部２を、これら雨水飛出曲線や雨水飛散曲線にかからない位置に設けることも好ましい形態である。
【００２６】
なお、照明器具３としては、ＬＥＤ３１の他にも、白熱電球等を用いることができるが、上記ダウンライトのようなイルミネーション効果や防犯効果、足元照明効果を持つ夜間照明を可能ならしめる、高輝度且つ高指向性の照明器具３が好ましいといえる。
【図面の簡単な説明】
【００２７】
【図１】本願発明の一実施形態を示した断面図。
【図２】照明ユニットの組み込みについて説明するための断面図。
【図３】照明ユニットを例示した断面図。
【図４】照明ユニットについて説明するための斜視図。
【図５】照明効果について説明するための模式図。
【図６】照明効果について説明するための別の模式図。
【図７】照明効果について説明するためのさらに別の模式図。
【図８】照明組込部について説明するための断面図。
【図９】従来の軒樋の一例を示した断面図。
【図１０】従来の軒樋の別の一例を示した断面図。
【符号の説明】
【００２８】
１  雨樋部
１０  雨水
１１  前板
１２  後板
１３  底板
２  照明組込部
２１  底板
２１１  出射口
３  照明器具
３０  照明光
３１  ＬＥＤ
３２  ケース体
３２１  底板
３２１’透明板
３３  照明ユニット
４  蓋
Ａ  照明組込み軒樋
Ｂ  軒樋
【図２】
0004513706.tif 000002
【図３】
0004513706.tif 000003
【図４】
0004513706.tif 000004
【図８】
0004513706.tif 000005
【図１】
0004513706.tif 000006
【図５】
0004513706.tif 000007
【図６】
0004513706.tif 000008
【図７】
0004513706.tif 000009
【図９】
0004513706.tif 000010
【図１０】
0004513706.tif 000011